(57)【特許請求の範囲】
【請求項１】
二本のパイプ（Ｐ，Ｐ）端部にそれぞれ取り付ける係合体（２，２）と、両係合体（２，２）の間に介在する結合体（１）とから構成し、両パイプ（Ｐ，Ｐ）を横一直線に連結した状態において、
両係合体（２，２）と結合体（１）の結合具合が、一対の半球体（３，３）をその頂部で連続した形態となり、
各係合体（２）は、半球体（３）を、その頂部分を切除するように斜めに切り欠き、円形の切欠傾斜面（７）を形成し、
一方結合体（１）は、切欠傾斜面（７）に重ね合わさる接合面（６）を有し且つ係合体（２）との取り付けにより半球体（３）を形成するフランジ部（４，４）を、点対称的に連続した形状又は逆Ｖ字状に連続して設けた線対称形状としてなり、
切欠傾斜面（７）と接合面（６）の両中心部を止具（Ｂ）で連結し、止具（Ｂ）を中心にして回動する結合体（１）と係合体（２）によって、両パイプ（Ｐ，Ｐ）の連結角度を調節可能としてあることを特徴とするパイプ継手。
【発明の詳細な説明】
【０００１】
【発明の属する技術分野】
本発明は、パイプを任意角度に連結する継手に関するものである。
【０００２】
【従来の技術】
従来のパイプ継手は、例えば、実公昭５７−３９４８０号公報、実公昭５８−４９９８号公報に開示されているように、同一、若しくは不同形状をなす一組の連結部材から構成され、各連結部材の一端部をパイプ端部にそれぞれ取付け、両連結部材の他端部を重ね合わせ、その重ね合わせた部分をボルトで軸支する構造のものが一般的に知られている。その他には、実公平４−９８１４号公報に開示されているように、一組の連結部材と、両連結部材の間に介在する中間体と、から構成されたものもある。
【０００３】
【発明が解決しようとする課題】
ところが従来のパイプ継手は何れのものにおいても、構成部品自体の構造が複雑であるという根本的な問題を抱えており、それによって費用がかさむことは勿論、劣悪な外観をもたらしていた。また、複雑な構造を有する構成部品には、得てして鋭利な角がある為、身体を傷付ける等の問題点もあった。
【０００４】
本発明は上記実情に鑑みてなされたものであり、その目的とするところは、体裁良く、しかも身体を傷付ける虞のないパイプ継手を提供することにある。
【０００５】
【課題を解決するための手段】
本発明によるパイプ継手は、二本のパイプ端部にそれぞれ取り付ける係合体と、両係合体の間に介在する結合体とから構成し、両パイプを横一直線に連結した状態において、両係合体と結合体の結合具合が、一対の半球体をその頂部で連続した形態となり、各係合体は、半球体を、その頂部分を切除するように斜めに切り欠き、円形の切欠傾斜面を形成し、一方結合体は、切欠傾斜面に重ね合わさる接合面を有し且つ係合体との取り付けにより半球体を形成するフランジ部を、点対称的に連続した形状又は逆Ｖ字状に連続して設けた線対称形状としてなり、切欠傾斜面と接合面の両中心部を止具で連結し、止具を中心にして回動する結合体と係合体によって、両パイプの連結角度を調節可能としてあることを特徴とする。
【０００６】
【作用】
係合体は半球体を、その頂部分を切除するように斜めに切り欠いた構造であるから、係合体の切欠傾斜面は、係合体に取り付けたパイプの軸心方向に対して、傾いていることとなり、結合体の接合面に係合体の傾斜面を重ね合わせ、結合体に対して係合体を止具を中心にして回すことによって、パイプの軸心方向を変えることができる。
【０００７】
また、係合体は半球体を、その頂部分を切除するように斜めに切り欠き、円形の切欠傾斜面を有するもので、結合体は切除された頂部分を対称的に連続し、前記傾斜面に重ね合わさる接合面を有するものなので、結合体の左右に係合体を取付た形態は、一組の半球体をその曲面で連続した形態となる。
【０００８】
【発明の実施の形態】
本発明によるパイプ継手は図１〜図３に示すように、結合体１の左右に、パイプＰ端部に取付ける係合体２をそれぞれ回転可能にビス止めし、それによって二本のパイプＰ，Ｐを連結するものである。
【０００９】
また本パイプ継手は、二本のパイプＰ，Ｐを横一直線に連結する場合には、頂部が横を向く一組の半球体３，３を、その頂部で連続して設けた概形をしたものである。そして、各半球体３を、その頂部分を切除するように、しかも切断面が円形をなすようにして、線対称的に且つ斜めに切断し、その際に形成された三つの部品を上記各構成部品と仮定することができ、中心部分を結合体１となし、両側部分を係合体２となすものである。この半球体３は体裁を良くするためにパイプＰと同じ径に設定してある。なお、頂部とは、半球体を平面上に安定するように置いた場合に、その最も高い部分を指し、頂部分とは頂部より少し低い部分も含んだ箇所を指す概念である。
【００１０】
結合体１は図１及び図４に示すように、各係合体２を回転可能に取付ける一対のフランジ部４，４を、逆Ｖ字状に連続して設けた対称形状をなすものである。そして各フランジ部４は、半球体３の頂部分を形成する曲面５と、係合体１に接する円形状の接合面６とを有し、接合面６の中心にビス穴６ａを形成したものである。
【００１１】
一方係合体２は、前記接合面６と同形状の傾斜面７を有する傾斜壁部８と、傾斜壁部８に連続すると共に半球体３の頂部分を除く曲面９を形成する周壁部１０と、該周壁部１０及び傾斜壁部８によって三方を囲まれパイプ取付方向のみ外部に通じる空洞部１１と、から構成され、結合体２のフランジ部４と係合体２とで半球体３を形成するものである。
【００１２】
傾斜壁部８は傾斜面７の中心に、空洞部１１に連通するバカ孔７ｂを備えたものである。この傾斜面７と前記接合面６とを重なり合わせ、一致したバカ孔７ｂとビス穴６ａに、空洞部１１側から止具となるビスＢを捩じ込むことによって、結合体１の左右に係合体２をそれぞれ取付け、ビスＢを中心にして係合体２を回転可能にしてある。
【００１３】
周壁部１０は、そのパイプ側の端面に、空洞部１１を塞ぐ円盤状の覆板２１をビス止めしてあり、覆板２１にアングル板２２の一片をビス止めし、アングル板２２の他片をパイプＰの端部内面側にビス止めすることによって、パイプＰに係合体２を取付ける。符号２１ａ，２２ａはビス孔、２２ｂ，２３ｂはバカ孔である。なお、周壁部１０は、そのパイプ側の端面中央部に、覆板２１を収納する凹部２４を有しており、覆板２１が外部から見えないようにしてある。
【００１４】
本パイプ継手は、図５（イ）に示す二本のパイプＰ，Ｐを横一直線に連結する形態において、結合体１の接合面６並びに係合体２の傾斜面７を、鉛直線に対して３０度（パイプＰの軸心方向に対して６０度）傾斜するように設定してあるので、この形態から結合体１に対して一方（図面上左側）の係合体２をビスを中心軸として１８０度回すと、パイプＰの軸心方向が水平方向から図５（ロ）に示すように６０度傾き、その結果、１２０度の角度で二本のパイプＰ，Ｐを連結できるようになる。さらに、他方（右側）の係合体２を１８０度回すと、図５（ハ）に示すように６０度の角度で二本のパイプＰ，Ｐを連結できるようになる。つまり、図５で示した本パイプ継手は、６０度から１８０度の範囲内で二本のパイプＰ，Ｐを連結できるものである。
【００１５】
なお、結合体１の接合面６並びに係合体２の傾斜面７が、鉛直線に対して傾斜する角度の設定を変更すれば、二本のパイプＰ，Ｐを連結可能な角度範囲を変更することができる。
【００１６】
本発明によるパイプ継手は、上記実施形態に限定されるものではない。例えば結合体１は図６に示すように、一対のフランジ部４，４を点対称的に連続した形状であっても良い。また、係合体２とパイプＰの連結方法は、両者の間に覆板２１及びアングル板２２を介する方法に限らず、係合体２に、パイプ内部に挿入する筒状の固定部を設け、その固定部とパイプを連結する方法であっても良い（図示省略）。
【００１７】
【発明の効果】
本発明によるパイプ継手は、係合体に取り付けたパイプの軸心方向に対して、係合体の傾斜面が傾いているので、結合体に対して係合体を止具を中心にして回すことによって、パイプの軸心方向を変えることができ、その結果、二本のパイプを連結する角度を調節することができる。また、本パイプ継手の形態は、二本のパイプを横一直線に連結した状態において、一対の半球体をその頂部で連続した形態となり、この形態から係合体を止具を中心にして回すことによって、一対の半球体をその曲面で連続した形態へと変化するので、パイプを連結する角度に関係なく極めて美しい外観が得られる。また、本パイプ継手の表面が半球体の曲面で形成されることとなるので、身体を傷付けることも全くなくなる優れた効果を発揮する。
【図面の簡単な説明】
【図１】本発明によるパイプ継手を示す断面図である。
【図２】本発明によるパイプ継手を示す斜視図である。
【図３】図２の分解図である。
【図４】本パイプ継手をパイプと係合体と結合体に分解した状態を示す断面図である。
【図５】の（イ）（ロ）（ハ）
パイプの連結具合を示す正面図である。
【図６】点対称的な形状を有する結合体を示す正面図である。
【符号の説明】
１  結合体
２  係合体
３  半球体
６  接合面
７  傾斜面
Ｂ  止具（ビス）
Ｐ  パイプ
【図１】
0003740751.tif 000002
【図２】
0003740751.tif 000003
【図３】
0003740751.tif 000004
【図４】
0003740751.tif 000005
【図５】
0003740751.tif 000006
【図６】
0003740751.tif 000007